(57)【特許請求の範囲】
【請求項１】
所定の情報を受信する受信部と、
画像を照合する照合部と、
メッセージを通知する通知部と、
所定の情報を送信する送信部と、を備え、
前記受信部は利用者が入力する入力情報と利用者を撮影した画像情報とを受信し、
前記照合部は前記画像情報と予め記憶している登録画像とを照合し、
前記照合部が前記画像情報と前記登録画像とが一致していないと判断した場合、前記通知部は予め記憶されたメッセージを利用者に通知し、さらに、前記メッセージ通知後、前記受信部が再度入力情報を受信した場合、前記送信部は、前記画像情報を閲覧するための情報を、所定の連絡先に送信する、ことを特徴とする情報処理装置。
【請求項２】
請求項１に記載の情報処理装置であって、
前記入力情報は、呼び鈴ボタンを押下した際にドアフォン子機より送信される来客信号であり、当該情報処理装置はドアフォン親機である情報処理装置。
【発明の詳細な説明】
【０００１】
【発明の属する技術分野】
本発明は、ホームセキュリティシステムに関し、特に留守時における訪問客対応を可能としたホームセキュリティシステムに関する。
【０００２】
【従来の技術】
従来、ホームセキュリティシステムは、音声を遠隔地に転送して行うシステムが考案され実用化されているが、近年、国際化に弾みがついた日本において、ホームセキュリティの更なる安全性を求める声が起きている。また、ネットワークの高速化が加速している近年においては、リアルタイムの画像を用いたホームセキュリティシステムの要望が高まっている。
【０００３】
従来のホームセキュリティシステムの機能構成を示すブロック図を図２に示す。以下、図２を参照して従来のホームセキュリティシステムについて説明する。
【０００４】
図２において、１０はドアフォン子機、１０−１は呼び鈴ボタン、１１はドアフォン親機、１２は記憶部、１３は転送先電話機をそれぞれ示している。呼び鈴ボタン１０−１を有するドアフォン子機１０は、ドアフォン親機１１と接続され、ドアフォン親機１１は記憶部１２および転送先電話機１３と接続されている。
【０００５】
このような従来のホームセキュリティシステムでは、訪問客がドアフォン子機１０の呼び鈴ボタン１０−１を押すと、ドアフォン子機１０はドアフォン親機１１に訪問客信号を発する。この訪問客信号を受信したドアフォン親機１１は、留守設定がされていた場合、記憶部１２に設定してある転送先電話機１３に転送して呼び出し、ドアフォン子機１０と転送先電話機１３とを接続して取り次ぐ。このようにして、出先からのドアフォン子機１０への応答を可能にしている。
【０００６】
【発明が解決しようとする課題】
しかしながら、上記従来の構成では、取り次いだ電話に誰も出ない場合の対処がされていない。また、訪問客が誰なのか分からずに処理をする構成上、訪問客が見知らぬ他人であったとしても電話を取り次ぐことになる。そのため、訪問客に留守宅であることをわざわざ教えてしまうことになってしまう等という問題点がある。しかも、相手の顔が見えない、記録も残さないという構成のためセキュリティ上に大きな問題がある。
【０００７】
そこで、本発明においては、登録者の呼び出しだけを転送することによってセキュリティ性を向上させた情報処理装置を提供することを目的とする。
【０００８】
【課題を解決するための手段】
上記課題を解決するため本発明は、所定の情報を受信する受信部と、画像を照合する照合部と、メッセージを通知する通知部と、所定の情報を送信する送信部と、を備え、前記受信部は利用者が入力する入力情報と利用者を撮影した画像情報とを受信し、前記照合部は前記画像情報と予め記憶している登録画像とを照合し、前記照合部が前記画像情報と前記登録画像とが一致していないと判断した場合、前記通知部は予め記憶されたメッセージを利用者に通知し、さらに、前記メッセージ通知後、前記受信部が再度入力情報を受信した場合、前記送信部は、前記画像情報を閲覧するための情報を、所定の連絡先に送信する、ことを特徴とする情報処理装置である。
【０００９】
本発明によれば、来客者が登録者であった場合に転送先に通知し、しかも電話に出る前に予め来客表示があり、音声だけではなく静止画または動画を転送することを追加することで、セキュリティ性が向上するばかりでなく、実用性も大きく向上する。
【００１０】
請求項１に記載の発明は、所定の情報を受信する受信部と、画像を照合する照合部と、メッセージを通知する通知部と、所定の情報を送信する送信部と、を備え、前記受信部は利用者が入力する入力情報と利用者を撮影した画像情報とを受信し、前記照合部は前記画像情報と予め記憶している登録画像とを照合し、前記照合部が前記画像情報と前記登録画像とが一致していないと判断した場合、前記通知部は予め記憶されたメッセージを利用者に通知し、さらに、前記メッセージ通知後、前記受信部が再度入力情報を受信した場合、前記送信部は、前記画像情報を閲覧するための情報を、所定の連絡先に送信する、ことを特徴とする情報処理装置であり、留守宅に訪問客が訪れた場合、電灯線通信でネットワークに接続されたカメラの映像および音声をデータベース上で比較し、登録者であると判明すれば、予め登録された画像および音声を携帯電話に転送し、回線を接続することにより、遠隔地からの応対が可能となり、登録者だけを転送することによってセキュリティ性の向上を図ることができる。
【００１１】
以下、本発明の実施の形態について、図面を参照しながら説明する。
【００１２】
図１は本発明の実施の形態におけるホームセキュリティシステムの機能構成を示すブロック図である。
【００１３】
図１において、１はドアフォン、１−１はカメラ、１−２はマイク、１−３は呼び鈴ボタン、１−４はスピーカ、２は電灯線ネットワーク、３は他媒体ネットワーク、４はパーソナルコンピュータ、５はゲートウェイ装置、６はモデム装置、７は携帯電話、８はインターネット、９はシステムサーバをそれぞれ示している。
【００１４】
カメラ１−１、マイク１−２、呼び鈴ボタン１−３およびスピーカ１−４が接続されたドアフォン１は、電源コンセントをインターフェイスとして電灯線ネットワーク２に接続し、ゲートウェイ装置５に接続する。また、パーソナルコンピュータ４は、他媒体ネットワーク３を用いてゲートウェイ装置５に接続する。ゲートウェイ装置５は、モデム装置６を介してインターネット８に接続する。インターネット接続機能を有する携帯電話７およびシステムサーバ９は、インターネット８に接続されている。
【００１５】
次に動作説明に入る。
【００１６】
訪問客がドアフォン１の呼び鈴ボタン１−３を押すと、ドアフォン１は電灯線ネットワーク２を通してゲートウェイ装置５に来客信号を送信する。この来客信号を受けたゲートウェイ装置５はシェアリングを行い、他媒体ネットワーク３を用いてパーソナルコンピュータ４に来客信号を送信する。この来客信号を受けたパーソナルコンピュータ４は、ゲートウェイ装置５を介してドアフォン１に撮影信号を通知する。この撮影信号を受けたドアフォン１は、接続されているカメラ１−１の画像信号およびマイク１−２の音声信号をゲートウェイ装置５を介してパーソナルコンピュータ４に送信する。これらの信号を受信したパーソナルコンピュータ４は、画像信号および音声信号を記録後、予め記憶されている画像および音声と照合し、訪問者が登録者であり、留守設定がされていれば、ゲートウェイ装置５およびモデム装置６を介して、インターネット８からメールで画像信号をシステムサーバ９へ送信する。メールを受信したシステムサーバ９は、画像を家人用のホームページにアップロードし、さらに予め登録されている携帯電話７に来客ありの題目で、かつ本文は画像のＵＲＬを表記したメールを送信する。このメールを受信した携帯電話７では、このメール本文のＵＲＬを選択すると、システムサーバ９に蓄積された画像を開くことができる。
【００１７】
このような構成によれば、かかってきた電話がホームセキュリティシステムからであり、さらに誰が訪問してきているかということを確認することができ、電話に出て取り次ぐか、用件を記録するかを選択できる。前述の流れで、家人が取り次ぐ選択を行った場合、システムサーバ９を介してパーソナルコンピュータ４と携帯電話７とを接続し、携帯電話７には訪問客の画像と音声を、ドアフォン１にはスピーカ１−４から携帯電話７の音声を出すことにより応対を行う。また、用件記録を選択した場合、システムサーバ９からパーソナルコンピュータ４に用件記録命令を出し、この用件記録命令を受けたパーソナルコンピュータ４では固定メッセージをドアフォン１のスピーカ１−４から流すことにより、留守であり用件を残しておいて欲しい旨を伝え、訪問者に用件を話してもらい、訪問者の音声をゲートウェイ装置５を介してパーソナルコンピュータ４内部に記録する。一方、登録者でなかった場合、予め家人の声で録音された追い返すメッセージを流して、訪問客を追い払うが、再度同じ人物が呼び鈴ボタン１−３を押した場合、すぐにシステムサーバ９に緊急メールを送り、緊急メールを受信したシステムサーバ９では携帯電話７に緊急訪問者通知を行って画像を送信し、家人に非登録訪問客を知らせることにより危険を通知する。ここで、携帯電話７が通じなかった場合、第二や第三の連絡先にまわしても良いし、契約保守会社で家人の代役をする構成にしてもよい。なお、本実施の形態においては、呼び鈴ボタン１−３を押すことによりシステム動作開始を行っているが、これは赤外線等のセンサをスイッチとしてシステム動作開始としても良い。
【００１８】
【発明の効果】
以上のように本発明によれば、所定の情報を受信する受信部と、画像を照合する照合部と、メッセージを通知する通知部と、所定の情報を送信する送信部と、を備え、前記受信部は利用者が入力する入力情報と利用者を撮影した画像情報とを受信し、前記照合部は前記画像情報と予め記憶している登録画像とを照合し、前記照合部が前記画像情報と前記登録画像とが一致していないと判断した場合、前記通知部は予め記憶されたメッセージを利用者に通知し、さらに、前記メッセージ通知後、前記受信部が再度入力情報を受信した場合、前記送信部は、前記画像情報を閲覧するための情報を、所定の連絡先に送信する、ことを特徴とする構成とすることで、来客者が登録者であった場合および緊急時に転送先に通知し、しかも電話に出る前に予め来客表示を行い、音声だけではなく静止画または動画を転送することを追加することで、セキュリティ性が向上するばかりでなく、実用性も大きく向上する効果があり、ホームセキュリティシステムの分野で益するところが大である。
【図面の簡単な説明】
【図１】本発明の実施の形態におけるホームセキュリティシステムの機能構成を示すブロック図
【図２】従来のホームセキュリティシステムの機能構成を示すブロック図
【符号の説明】
１  ドアフォン
１−１  カメラ
１−２  マイク
１−３  呼び鈴ボタン
１−４  スピーカ
２  電灯線ネットワーク
３  他媒体ネットワーク
４  パーソナルコンピュータ
５  ゲートウェイ装置
６  モデム装置
７  携帯電話
８  インターネット
９  システムサーバ
【図１】
0004752143.tif 000002
【図２】
0004752143.tif 000003